(57)【特許請求の範囲】
【請求項１】
第１リンクを介して対向局ネットワーク接続装置と接続されるとともに第２リンクを介して自局保守端点ノードと接続されるネットワーク接続装置であって、
前記第１リンクの入力障害検出に伴い前記第２リンクが切断された際、前記自局保守端点ノードに代わり、前記第１リンクを介して前記対向局ネットワーク接続装置に向けて第１接続性確認メッセージを送信する第１処理部と、
前記対向局ネットワーク接続装置における前記第１リンクの入力障害検出に伴い前記対向局ネットワーク接続装置と対向局保守端点ノードとの間の第３リンクが切断された際、前記対向局保守端点ノードに代わり、前記第２リンクを介して前記自局保守端点ノードに向けて第２接続性確認メッセージを送信する第２処理部と、
を備えることを特徴とするネットワーク接続装置。
【請求項２】
前記第１処理部は、前記第２リンクの切断以前に、前記第１接続性確認メッセージを検出して記憶し、前記第２リンクの切断後、前記記憶した第１接続性確認メッセージを読み出して前記対向局ネットワーク接続装置へ送信することを特徴とする請求項１記載のネットワーク接続装置。
【請求項３】
前記第１処理部は、前記第２リンクの切断が解除されるまでの間、前記保存した第１接続確認用メッセージを、前記対向局ネットワーク接続装置へ所定周期で繰り返し送信することを特徴とする請求項２記載のネットワーク接続装置。
【請求項４】
前記第２処理部は、前記第３リンクの切断以前に、前記第２接続性確認メッセージを検出して記憶し、前記第３リンク切断後、前記記憶した第２接続性確認メッセージを読み出して前記自局保守端点ノードへ送信することを特徴とする請求項１−３のいずれか１項に記載のネットワーク接続装置。
【請求項５】
前記第２処理部は、前記第３リンクの切断が解除されるまでの間、前記保存した第２接続確認用メッセージを、前記自局保守端点ノードへ所定周期で繰り返し送信することを特徴とする請求項４記載のネットワーク接続装置。
【請求項６】
前記第１接続性確認メッセージおよび前記第２接続性確認メッセージは、イーサネット（登録商標）ＯＡＭ（Ｏｐｅｒａｔｉｏｎｓ、Ａｄｍｉｎｉｓｔｒａｔｉｏｎ、Ｍａｉｎｔｅｎａｎｃｅ）規格のＣＣ（Ｃｏｎｔｉｎｕｉｔｙ  Ｃｈｅｃｋ）メッセージであることを特徴とする請求項１−５のいずれか１項に記載のネットワーク接続装置。
【請求項７】
前記第２リンクの切断および前記第３リンクの切断は、リンクパススルー機能の発動に伴う強制切断であることを特徴とする請求項１−６のいずれか１項に記載のネットワーク接続装置。
【請求項８】
第１リンクを介して対向局ネットワーク接続装置と接続されるとともに第２リンクを介して自局保守端点ノードと接続されるネットワーク接続装置におけるネットワーク制御方法であって、
前記第１リンクの入力障害検出に伴い前記第２リンクが切断された際、前記自局保守端点ノードに代わり、前記第１リンクを介して前記対向局ネットワーク接続装置に向けて第１接続性確認メッセージを送信し、
前記対向局ネットワーク接続装置における前記第１リンクの入力障害検出に伴い前記対向局ネットワーク接続装置と対向局保守端点ノードとの間の第３リンクが切断された際、前記対向局保守端点ノードに代わり、前記第２リンクを介して前記自局保守端点ノードに向けて第２接続性確認メッセージを送信する、
ことを特徴とする制御方法。
【請求項９】
第１リンクを介して対向局ネットワーク接続装置と接続されるとともに第２リンクを介して自局保守端点ノードと接続されるネットワーク接続装置のコンピュータに、
前記第１リンクの入力障害検出に伴い前記第２リンクが切断された際、前記自局保守端点ノードに代わり、前記第１リンクを介して前記対向局ネットワーク接続装置に向けて第１接続性確認メッセージを送信する第１処理と、
前記対向局ネットワーク接続装置における前記第１リンクの入力障害検出に伴い前記対向局ネットワーク接続装置と対向局保守端点ノードとの間の第３リンクが切断された際、前記対向局保守端点ノードに代わり、前記第２リンクを介して前記自局保守端点ノードに向けて第２接続性確認メッセージを送信する第２処理と、
を実行させることを特徴とするネットワーク制御プログラム。
【請求項１０】
対向局保守端点ノードと、第３リンクを介して前記対向局保守端点ノードに接続される対向局ネットワーク接続装置と、を含む対向局システムと、
自局保守端点ノードと、第１リンクを介して前記対向局ネットワーク接続装置と接続されるとともに第２リンクを介して前記自局保守端点ノードと接続され、前記第１リンクの入力障害検出に伴い前記第２リンクが切断された際、前記自局保守端点ノードに代わり、前記第１リンクを介して前記対向局ネットワーク接続装置に向けて第１接続性確認メッセージを送信し、前記対向局ネットワーク接続装置における前記第１リンクの入力障害検出に伴い前記第３リンクが切断された際、前記対向局保守端点ノードに代わり、前記第２リンクを介して前記自局保守端点ノードに向けて第２接続性確認メッセージを送信する自局ネットワーク接続装置と、を含む自局システムと、
を備えることを特徴とするネットワークシステム。
【発明の詳細な説明】
【技術分野】
【０００１】
本発明は、ネットワーク接続装置、ネットワーク制御方法、ネットワーク制御プログラム、およびネットワークシステムに関する。
【背景技術】
【０００２】
複数のリンクを介して通信を行うネットワークシステムにおいてリンクダウンが発生した場合に通信の継続性を維持するための機能として、リンクパススルー機能が知られている（例えば、特許文献１や特許文献２参照）。リンクダウンとは、たとえば、ケーブルの断線や機器の故障などによりリンクの通信ができない状態を指す。リンクパススルーは、リンククロス転送、リンク連動などと呼ばれる場合もある。
【０００３】
以下、図１４を用いて、リンクパススルー機能について説明する。図１４に示すように、このネットワークシステムにおいて、２台のメディアコンバータ１、２は、光ファイバ３を介して接続されている。メディアコンバータ１は、ＵＴＰ（Ｕｎｓｈｉｅｌｄｅｄ  
Ｔｗｉｓｔ  Ｐａｉｒ  ｃａｂｌｅ）４を介してコンピュータ５と接続されている。メディアコンバータ２は、ＵＴＰ６を介してハブ７と接続されている。そして、メディアコンバータ１、２は、リンクパススルー機能を搭載しているものとする。
【０００４】
ここで、たとえば、ＵＴＰ４のリンクダウンが検出された場合、メディアコンバータ１は、光ファイバ３のリンクを切断する。光ファイバ３のリンクダウンにより、メディアコンバータ２は、ＵＴＰ６のリンクを強制的に切断する。これにより、ハブ７は、リンクダウンを検出することができる。一方、たとえば、光ファイバ３のリンクダウンが検出された場合、各メディアコンバータ１、２は、各ＵＴＰ４、６のリンクを強制的に切断する。これにより、コンピュータ５およびハブ７は、各々にリンクダウンを検出することができる。
【０００５】
一方、近年、イーサネット（登録商標）が広域網においても使用されるようになり、その保守管理の重要性が増している。そこで、イーサネットを保守管理するための機能であるイーサネットＯＡＭ（Ｏｐｅｒａｔｉｏｎｓ、Ａｄｍｉｎｉｓｔｒａｔｉｏｎ、Ｍａｉｎｔｅｎａｎｃｅ）の標準化が進められている（たとえば、ＩＴＵ−Ｔ勧告Ｙ．１７３１やＩＥＥＥ８０２．１ａｇ）。なお、上記において、ＩＴＵ−Ｔは、Ｉｎｔｅｒｎａｔｉｏｎａｌ  Ｔｅｌｅｃｏｍｍｕｎｉｃａｔｉｏｎ  Ｕｎｉｏｎ  Ｔｅｌｅｃｏｍｍｕｎｉｃａｔｉｏｎ  Ｓｔａｎｄａｒｄｉｚａｔｉｏｎ  Ｓｅｃｔｏｒの略である。また、ＩＥＥＥは、Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓの略である。また、イーサネットＯＡＭを利用した保守管理技術が、様々に提案されている（たとえば、特許文献３参照）。
【０００６】
イーサネットＯＡＭにおける代表的な障害検知機能の一つとして、接続性チェック（ＣＣ：Ｃｏｎｔｉｎｕｉｔｙ  Ｃｈｅｃｋ）を挙げることができる。ＣＣは、保守管理対象となるスイッチ群の端から端まで検査用フレームであるＣＣＭ（Ｃｏｎｔｉｎｕｉｔｙ  
Ｃｈｅｃｋ  Ｍｅｓｓａｇｅ）を定期的に送ることで、接続を確認する機能である。
【０００７】
また、特許文献４は、複数の伝送装置を伝送路により順次接続してデータ伝送を行う伝送システムにおいて、リンク障害発生個所を迅速に検出する技術について記載する。
【先行技術文献】
【特許文献】
【０００８】
【特許文献１】特開２０１０−２１２７６２号公報
【特許文献２】特開２０１２−１０００８６号公報
【特許文献３】特開２０１１−１１９９６１号公報
【特許文献４】特開２０１１−０５５３８１号公報
【発明の概要】
【発明が解決しようとする課題】
【０００９】
ところで、現在、図１４に示すようなメディアコンバータもイーサネット化されるケースが増えている。従って、リンクパススルー機能とイーサネットＯＡＭとの併用が予想される。
【００１０】
しかしながら、リンクパススルー機能を搭載した一般的なメディアコンバータは、上述したように、一方のリンクに障害を発見した場合、他方のリンク自体を強制的に切断する。この場合、実際には一方向のリンクのみに障害が発生しているにも拘らず、双方向のリンクが切断されてしまう。これにより、イーサネットＯＡＭの接続性チェックにおいて、双方向におけるＣＣＭ不達が発生する。よって、イーサネットＯＡＭを統括する装置は、一方向のみのリンクに障害が発生している場合であっても、双方向のリンクで障害が発生していると判断する。すなわち、正しい障害判断が行われない場合があり、障害復旧の迅速化の妨げとなる懸念がある。要するに、リンクパスルー機能とイーサネットＯＡＭとを併用する場合、障害認識を誤る可能性がある。
【００１１】
本発明は、上記課題を解決するためになされたものであり、ネットワークにおける障害発生箇所をより正確に特定することが可能な、ネットワーク接続装置、ネットワーク制御方法、ネットワーク制御プログラム、およびネットワークシステムを提供することを目的とする。
【課題を解決するための手段】
【００１２】
本発明のネットワーク接続装置は、第１リンクを介して対向局ネットワーク接続装置と接続されるとともに第２リンクを介して自局保守端点ノードと接続されるネットワーク接続装置であって、前記第１リンクの入力障害検出に伴い前記第２リンクが切断された際、前記自局保守端点ノードに代わり、前記第１リンクを介して前記対向局ネットワーク接続装置に向けて第１接続性確認メッセージを送信する第１処理部と、前記対向局ネットワーク接続装置における前記第１リンクの入力障害検出に伴い前記対向局ネットワーク接続装置と対向局保守端点ノードとの間の第３リンクが切断された際、前記対向局保守端点ノードに代わり、前記第２リンクを介して前記自局保守端点ノードに向けて第２接続性確認メッセージを送信する第２処理部と、  を備える。
【００１３】
本発明のネットワーク制御方法は、第１リンクを介して対向局ネットワーク接続装置と接続されるとともに第２リンクを介して自局保守端点ノードと接続されるネットワーク接続装置におけるネットワーク制御方法であって、前記第１リンクの入力障害検出に伴い前記第２リンクが切断された際、前記自局保守端点ノードに代わり、前記第１リンクを介して前記対向局ネットワーク接続装置に向けて第１接続性確認メッセージを送信し、前記対向局ネットワーク接続装置における前記第１リンクの入力障害検出に伴い前記対向局ネットワーク接続装置と対向局保守端点ノードとの間の第３リンクが切断された際、前記対向局保守端点ノードに代わり、前記第２リンクを介して前記自局保守端点ノードに向けて第２接続性確認メッセージを送信する。
【００１４】
本発明のネットワーク制御プログラムは、第１リンクを介して対向局ネットワーク接続装置と接続されるとともに第２リンクを介して自局保守端点ノードと接続されるネットワーク接続装置のコンピュータに、前記第１リンクの入力障害検出に伴い前記第２リンクが切断された際、前記自局保守端点ノードに代わり、前記第１リンクを介して前記対向局ネットワーク接続装置に向けて第１接続性確認メッセージを送信する第１処理と、前記対向局ネットワーク接続装置における前記第１リンクの入力障害検出に伴い前記対向局ネットワーク接続装置と対向局保守端点ノードとの間の第３リンクが切断された際、前記対向局保守端点ノードに代わり、前記第２リンクを介して前記自局保守端点ノードに向けて第２接続性確認メッセージを送信する第２処理と、を実行させる。
【００１５】
本発明のネットワークシステムは、対向局保守端点ノードと、第３リンクを介して前記対向局保守端点ノードに接続される対向局ネットワーク接続装置と、を含む対向局システムと、  自局保守端点ノードと、第１リンクを介して前記対向局ネットワーク接続装置と接続されるとともに第２リンクを介して前記自局保守端点ノードと接続され、前記第１リンクの入力障害検出に伴い前記第２リンクが切断された際、前記自局保守端点ノードに代わり、前記第１リンクを介して前記対向局ネットワーク接続装置に向けて第１接続性確認メッセージを送信し、前記対向局ネットワーク接続装置における前記第１リンクの入力障害検出に伴い前記第３リンクが切断された際、前記対向局保守端点ノードに代わり、前記第２リンクを介して前記自局保守端点ノードに向けて第２接続性確認メッセージを送信する自局ネットワーク接続装置と、を含む自局システムと、を備える。
【発明の効果】
【００１６】
本発明によれば、ネットワークにおける障害発生箇所をより正確に特定することが可能となる。
【図面の簡単な説明】
【００１７】
【図１】本発明の第１の実施形態に係るネットワークシステムの構成例を示すブロック図である。
【図２】自局ネットワーク接続装置の構成例を示すブロック図である。
【図３】電気側ＣＣＭ制御部の動作（光ポートへのＣＣＭ代理送信動作）の一例を示すフローチャートである。
【図４】光側ＣＣＭ制御部の動作（電気ポートへのＣＣＭ代理送信動作）の一例を示すフローチャートである。
【図５】本発明の第１の実施形態に係る自局ネットワーク接続装置の光ポートの入力にリンク障害が発生した場合の、ネットワークシステム全体の動作例を説明するための図である。
【図６】本発明の第１の実施形態に係る対向局ネットワーク接続装置の光ポートの入力にリンク障害が発生した場合の、ネットワークシステム全体の動作例を説明するための図である。
【図７】ＩＥＥＥ８０２．１ａｇ規格におけるＣＣＭフレームのフォーマット図である。
【図８】ＣＣＭ送信間隔の一例を示す表である。
【図９】電気側ＣＣＭ制御部および光側ＣＣＭ制御部の各々に設定される各種設定項目の一例を示す表である。
【図１０】本発明の第２の実施形態に係るネットワークシステムの構成例を示すブロック図である。
【図１１】本発明の第３の実施形態に係るネットワーク接続装置の構成例を示すブロック図である。
【図１２】本発明の第４の実施形態に係るネットワーク接続装置の構成例を示すブロック図である。
【図１３】図１２に示すメモリに記憶されるネットワーク制御プログラムの構成例を示すブロック図である。
【図１４】リンクパススルー機能を説明するための図である。
【発明を実施するための形態】
【００１８】
［第１の実施形態］
図１は、本発明の第１の実施形態に係るネットワークシステム１０の構成例を示すブロック図である。ネットワークシステム１０は、自局システム１２と、対向局システム１４と、イーサネット（登録商標）ＯＡＭ管理装置１６と、を備える。
【００１９】
自局システム１２は、自局ネットワーク接続装置２０と、自局ハブ２２と、自局ＭＥＰ２４と、を備える。ＭＥＰは、Ｍａｉｎｔｅｎａｎｃｅ  ｇｒｏｕｐ  Ｅｎｄ  Ｐｏｉｎｔ、または、Ｍａｉｎｔｅｎａｎｃｅ  Ｅｎｔｉｔｙ  Ｇｒｏｕｐ  Ｅｎｄ  Ｐｏｉｎｔの略である。自局ネットワーク接続装置２０の電気ポートには、自局ハブ２２が接続される。自局ハブ２２には、自局ＭＥＰ２４が接続される。
【００２０】
対向局システム１４は、対向局ネットワーク接続装置３０と、対向局ハブ３２と、対向局ＭＥＰ３４と、を備える。対向局ネットワーク接続装置３０の電気ポートには、対向局ハブ３２が接続される。対向局ハブ３２には、対向局ＭＥＰ３４が接続される。
【００２１】
自局ネットワーク接続装置２０と対向局ネットワーク接続装置３０とは、各々の光ポートを介して接続される。
【００２２】
なお、自局ネットワーク接続装置２０および対向局ネットワーク接続装置３０は、上述したように、異なるメディア（光／電気）を変換する装置であるため、光・電気通信装置またはメディアコンバータ（単に、コンバータ）と呼ばれる場合もある。
【００２３】
ネットワークシステム１０は、イーサネット規格に対応したネットワークであるとともに、イーサネットの保守管理機能であるイーサネットＯＡＭ機能を備える。なお、以下の説明では、イーサネットＯＡＭとして、ＩＥＥＥ８０２．１ａｇ規格を例に挙げて説明する。もちろん、イーサネットＯＡＭ規格は、上記規格に限定されることはなく、他の規格であってもよい。
【００２４】
ネットワークシステム１０において、イーサネットＯＡＭ上の保守管理端点として、自局ＭＥＰ２４と対向局ＭＥＰ３４が設定されている。
【００２５】
自局ＭＥＰ２４と対向局ＭＥＰ３４は、イーサネットＯＡＭのＣＣ機能を用いて保守管理区間において、通信が正常に実行されているか否かを監視する。具体的には、自局ＭＥＰ２４および対向局ＭＥＰ３４は、ＣＣＭフレームを生成し、所定の時間間隔で相手側ＭＥＰへ送信する。そして、自局ＭＥＰ２４および対向局ＭＥＰ３４は、互いに相手側ＭＥＰから送信されてくるＣＣＭフレームの到着確認を行う。自局ＭＥＰ２４と対向局ＭＥＰ３４は、ＣＣＭの到着確認結果を、イーサネットＯＡＭ管理装置１６へ送信する。
【００２６】
イーサネットＯＡＭ管理装置１６は、自局ＭＥＰ２４および対向局ＭＥＰ３４を管理する。代表的には、イーサネットＯＡＭ管理装置１６は、各ＭＥＰから受信する到着確認結果に基づき、保守管理区間の保守運用管理を行う。
【００２７】
なお、上記構成はあくまで一例である。たとえば、図１において、自局ハブ２２は、必須の構成要素ではない。従って、自局ＭＥＰ２４と自局ネットワーク接続装置２０とは直接接続されてもよい。同様に、対向局ハブ３２は、必須の構成要素ではない。従って、対向局ＭＥＰ３４と対向局ネットワーク接続装置３０とは直接接続されてもよい。
【００２８】
図２は、図１に示す自局ネットワーク接続装置２０の構成例を示すブロック図である。自局ネットワーク接続装置２０は、光ポート５０と、電気ポート５２と、光電／電光変換部５４と、電気側インタフェース部５６と、電気側切替部５８と、光側切替部６０と、リンクパススルー制御部６２と、対向局リンクパススルー検出部６４と、を備える。さらに、自局ネットワーク接続装置２０は、電気側ＣＣＭ制御部７０（第１処理部）と、光側ＣＣＭ制御部８０（第２巣処理部）と、を備える。
【００２９】
光ポート５０は、光通信媒体、たとえば、光ファイバを介して、対向局システム１４を構成する対向局ネットワーク接続装置３０の光ポート（不図示）と接続される。
【００３０】
電気ポート５２は、電気通信媒体、たとえば、ＵＴＰ（Ｕｎｓｈｉｅｌｄｅｄ  Ｔｗｉｓｔ  Ｐａｉｒ  ｃａｂｌｅ）を介して、自局システム１２を構成する自局ハブ２２と接続される。
【００３１】
光電／電光変換部５４は、光ポート５０から入力した光信号を電気信号に変換して出力するとともに、電気ポート５２から入力した電気信号を光信号へ変換して出力する。
【００３２】
電気側インタフェース部５６は、光電／電光変換部５４から入力した電気信号を電気ポート５２に即した形式の電気信号へと変換するとともに、電気ポート５２から入力した電気信号を光ポート５０に即した形式の電気信号へと変換する。
【００３３】
電気側切替部５８は、光ポート５０へ出力する信号を、「主信号」と「代理ＣＣＭ」のいずれかから選択する。主信号は、自局ＭＥＰ２４を起点とした信号であり、ＣＣＭを少なくとも含む。また、代理ＣＣＭは、自局システム１２におけるリンクパススルー発生時に、自局ＭＥＰ２４を代理して自局ネットワーク接続装置２０（具体的には、電気側ＣＣＭ制御部７０）を起点として出力されるＣＣＭである。
【００３４】
光側切替部６０は、電気ポート５２へ送信する信号を、「主信号」と「代理ＣＣＭ」のいずれかから選択する。主信号は、対向局ＭＥＰ３４を起点とした信号であり、ＣＣＭを少なくとも含む。また、代理ＣＣＭは、対向局システム１４におけるリンクパススルー発生時に、対向局ＭＥＰ３４を代理して自局ネットワーク接続装置（具体的には、光側ＣＣＭ制御部８０）を起点として出力されるＣＣＭである。
【００３５】
リンクパススルー制御部６２は、自局システム１２側におけるリンクパススルー処理を制御する。具体的には、リンクパススルー制御部６２は、光ポート５０に入力リンク障害が発生しているか否かを調査する。リンクパススルー制御部６２は、光ポート５０の入力リンク障害の発生を認知すると、電気側インタフェース部５６に対して、電気ポート５２のリンク自体を強制的に切断する旨の指示を発行する。そして、リンクパススルー制御部６２は、自局システム１２においてリンクパススルー処理が実行されたことを示す情報を、電気側ＣＣＭ制御部７０へ送信する。
【００３６】
対向局リンクパススルー検出部６４は、対向局システム１４において光ポート入力リンク障害に伴うリンクパススルー処理が実行されているか否かを調査する。対向局リンクパススルー検出部６４は、対向局システム１４における光ポート入力リンク障害に伴うリンクパススルー処理の実行を認知すると、その旨を光側ＣＣＭ制御部８０へ送信する。
【００３７】
電気側ＣＣＭ制御部７０は、自局システム１２側でリンクパススルー処理が実行された際に、自局ＭＥＰ２４を代理してＣＣＭを対向局ＭＥＰ３４へ送信する。電気側ＣＣＭ制御部７０は、電気側ＣＣＭ保存部７２と、電気側ＣＣＭ送信部７４と、電気側ＣＣＭ送信制御部７６と、を備える。
【００３８】
電気側ＣＣＭ保存部７２は、電気ポート５２から入力する主信号の中からＣＣＭを検出し、保存する。電気側ＣＣＭ送信部７４は、電気側ＣＣＭ保存部７２から読み出したＣＣＭを予め設定された内容に加工し、光ポート５０へ出力する。電気側ＣＣＭ送信制御部７６は、リンクパススルー処理発生を認知した場合、自局ＭＥＰ２４を代理したＣＣＭ送信処理を実行する。
【００３９】
光側ＣＣＭ制御部８０は、対向局システム１４側でリンクパススルー処理が実行された際に、対向局ＭＥＰ３４を代理してＣＣＭを自局ＭＥＰ２４へ送信する。光側ＣＣＭ制御部８０は、光側ＣＣＭ保存部８２と、光側ＣＣＭ送信部８４と、光側ＣＣＭ送信制御部８６と、を備える。
【００４０】
光側ＣＣＭ保存部８２は、電気ポート５２から入力する主信号の中からＣＣＭを検出し、解析及び保存する。光側ＣＣＭ送信部８４は、光側ＣＣＭ保存部８２から読み出したＣＣＭを予め設定された内容に加工し、電気ポート５２へ出力する。光側ＣＣＭ送信制御部８６は、リンクパススルー処理発生を認知した場合、対向局ＭＥＰ３４を代理したＣＣＭ送信処理を実行する。
【００４１】
なお、自局ネットワーク接続装置２０における光ポート５０の入力リンク障害の検出、および対向局システム１４における光ポート入力リンク障害に伴うリンクパススルー処理の実行の検出に関しては、公知の技術を利用することができる。公知の技術の一例としては、たとえば、一般社団法人情報通信技術委員会にて規定されるＴＳ−１０００に記載された技術を挙げることができる。
【００４２】
次に、第１の実施形態に係るネットワークシステム１０の動作について説明する。
【００４３】
なお、以下の説明で参照する図９は、電気側ＣＣＭ制御部７０および光側ＣＣＭ制御部８０の各々に設定される各種設定項目の一例を示す表である。図９中、Ｎｏ．１〜３は、電気側ＣＣＭ制御部７０に設定される項目である。図９中、Ｎｏ．４〜６は、光側ＣＣＭ制御部８０に設定される項目である。
【００４４】
まず、ネットワークシステム１０を構成する自局ネットワーク接続装置２０の詳細動作について説明する。なお、以下の説明の前提として、光ポート５０へのＣＣＭ代理送信（図９のＮｏ．１参照）および電気ポート５２へのＣＣＭ代理送信（図９のＮｏ．４参照）は、ともに「有効」に設定されているものとする。
【００４５】
まず、電気側ＣＣＭ制御部７０の動作について説明する。
【００４６】
通常運用時、電気側ＣＣＭ保存部７２は、電気ポート５２から入力する主信号の中からＣＣＭを検出した場合、このＣＣＭを所定期間（たとえば、図９のＮｏ．２参照）保存しておく。
【００４７】
図３は、電気側ＣＣＭ制御部７０の動作（光ポート５０へのＣＣＭ代理送信動作）の一例を示すフローチャートである。リンクパススルー制御部６２は、光ポート５０に入力リンク障害が発生しているか否かを調査する（ステップＳ１００）。光ポート５０の入力にリンク障害が発生した際（ステップＳ１００においてＹｅｓ判定）、リンクパススルー制御部６２は、電気ポート５２のリンクを強制的に切断する（ステップＳ１０１）。リンクパススルー制御部６２は、自局ネットワーク接続装置２０がリンクパススルー実行中となったことを電気側ＣＣＭ送信制御部７６に通知する。
【００４８】
自局がリンクパススルー実行中であり且つ電気側ＣＣＭ保存部７２にＣＣＭが保存されている場合、電気側ＣＣＭ送信制御部７６は、電気側ＣＣＭ送信部７４に対し、ＣＣＭ送信を指示する。電気側ＣＣＭ送信部７４は、電気側切替部５８を制御し、光ポート５０への出力信号経路を電気ポート５２側から電気側ＣＣＭ送信部７４側に切り替える（ステップＳ１０２）。電気側ＣＣＭ送信部７４は、電気側ＣＣＭ保存部７２に保存されているＣＣＭを読み出し、予め設定された内容に従い加工する（ステップＳ１０３）。
【００４９】
図７は、ＩＥＥＥ８０２．１ａｇ規格におけるＣＣＭフレームのフォーマット図を示す。電気側ＣＣＭ送信部７４は、たとえば、各種項目のうち、ＳＡ（Ｓｏｕｒｃｅ  Ａｄｄｒｅｓｓ）およびＲＤＩ（Ｒｅｍｏｔｅ  Ｄｅｆｅｃｔ  Ｉｎｄｉｃａｔｉｏｎ）以外の項目には受信したＣＣＭの値をそのまま設定する。ＳＡには、自局ネットワーク接続装置２０のＭＡＣ（Ｍｅｄｉａ  Ａｃｃｅｓｓ  Ｃｏｎｔｒｏｌ  ａｄｄｒｅｓｓ）アドレスが設定される。ＲＤＩには、たとえば、図９のＮｏ．３で指定された値が設定される。なお、ＩＴＵ−Ｔ  Ｙ．１７３１のＣＣＭについても上記と同様の対応を行うことができる。ところで、電気側ＣＣＭ保存部７２は、受信したフレームがＣＣＭであるか否かを、ＴＹＰＥ値とＯｐＣｏｄｅ値で判断する。
【００５０】
図３の説明に戻り、電気側ＣＣＭ送信部７４は、上記の如く加工したＣＣＭを、ＣＣＭ  Ｉｎｔｅｒｖａｌの値（図７参照）に示される間隔で、光ポートに向けて代理送信する（ステップＳ１０４）。なお、図８には、ＣＣＭ  Ｉｎｔｅｒｖａｌの設定例が示される。
【００５１】
電気側ＣＣＭ送信制御部７６は、自局ネットワーク接続装置２０においてリンクパススルー処理が実行中であるか否かを調査する（ステップＳ１０５）。実行中である場合（ステップＳ１０５においてＹｅｓ判定の場合）、電気側ＣＣＭ送信部７４によるＣＣＭ代理送信は、継続して行われる。実行中でない場合（ステップＳ１０５においてＮｏ判定の場合）、電気側ＣＣＭ送信部７４によるＣＣＭ代理送信は、終了する。
【００５２】
次に、光側ＣＣＭ制御部８０の動作について説明する。
【００５３】
通常運用時、光側ＣＣＭ保存部８２は、光ポート５０から入力する主信号の中からＣＣＭを検出した場合、このＣＣＭを所定期間（たとえば、図９のＮｏ．５参照）保存しておく。
【００５４】
図４は、光側ＣＣＭ制御部８０の動作（電気ポート５２へのＣＣＭ代理送信動作）の一例を示すフローチャートである。対向局リンクパススルー検出部６４は、対向局システム１４における光ポート入力リンク障害に伴うリンクパススルー処理の実行の有無を調査する（ステップＳ２００）。対向局システム１４においてリンクパススルー処理が実行された場合（ステップＳ２００においてＹｅｓ判定）、対向局リンクパススルー検出部６４は、対向局ネットワーク接続装置３０がリンクパススルー実行中となったことを光側ＣＣＭ送信制御部８６に通知する。なお、対向局ネットワーク接続装置３０におけるリンクパススルー処理とは、具体的には、対向局ネットワーク接続装置３０における電気ポートのリンク（対向局ハブ３２とのリンク）が強制切断される処理である。
【００５５】
対向局がリンクパススルー実行中であり且つ光側ＣＣＭ保存部８２にＣＣＭが保存されていた場合、光側ＣＣＭ送信制御部８６は、光側ＣＣＭ送信部８２に対し、ＣＣＭ送信を指示する。光側ＣＣＭ送信部８２は、光側切替部６０を制御し、電気ポート５２への出力信号経路を光ポート５０側から光側ＣＣＭ送信部８４側に切り替える（ステップＳ２０１）。光側ＣＣＭ送信部８４は、光側ＣＣＭ保存部８２に保存されているＣＣＭを読み出し、予め設定された内容に従い加工する（ステップＳ２０２）。光側ＣＣＭ送信部８４におけるＣＣＭ加工処理に関しては、上述した電気側ＣＣＭ送信部８４の加工方法と同等であるため、ここでの説明を省略する。なお、光側ＣＣＭ送信部８４におけるＣＣＭ加工において、ＲＤＩには、たとえば、図９のＮｏ．６で指定された値が設定される。
【００５６】
光側ＣＣＭ送信部８４は、上記の如く加工したＣＣＭを、ＣＣＭ  Ｉｎｔｅｒｖａｌの値（図７参照）に示される間隔で、電気ポート５２に向けて代理送信する（ステップＳ２０３）。
【００５７】
光側ＣＣＭ送信制御部８６は、対向局ネットワーク接続装置３０においてリンクパススルー処理が実行中であるか否かを調査する（ステップＳ２０４）。実行中である場合（ステップＳ２０４においてＹｅｓ判定の場合）、光側ＣＣＭ送信部８４によるＣＣＭ代理送信は、継続して行われる。実行中でない場合（ステップＳ２０４においてＮｏ判定の場合）、光側ＣＣＭ送信部８４によるＣＣＭ代理送信は、終了する。
【００５８】
次に、ネットワークシステム１０全体の動作（以下に示す（１）〜（３））について説明する。
【００５９】
（１）通常運用時の動作説明
通常運用時において、対向局ＭＥＰ３４と自局ＭＥＰ２４との間（図１において「通常運用時のＣＣＭ送達区間」で示す区間）では、イーサネットＯＡＭの機能としてのＣＣＭ送受信が行なわれている。自局ネットワーク接続装置２０を構成する電気側ＣＣＭ保存部７２は、電気ポート５２から入力される主信号の中からＣＣＭを検出した場合、このＣＣＭを保存しておく。自局ネットワーク接続装置２０を構成する光側ＣＣＭ保存部８２は、光ポート５０から入力される主信号の中からＣＣＭを検出した場合、このＣＣＭを保存しておく。
【００６０】
（２）自局ネットワーク接続装置２０の光ポート５０の入力にリンク障害が発生した場合の動作説明
図５は、ネットワークシステム１０の構成例を示すブロック図であるとともに、自局ネットワーク接続装置２０の光ポート５０の入力にリンク障害が発生した場合のネットワークシステム１０の動作例を説明するための図である。
【００６１】
まず、何らかの理由により、自局ネットワーク接続装置２０の光ポート５０の入力においてリンク障害が発生したとする（ステップＳ１）。自局ネットワーク接続装置２０のリンクパススルー機能の発動により、電気ポート５２のリンクは強制的に切断される（ステップＳ２）。このままでは、自局ＭＥＰ２４から出力されるＣＣＭは、対向局ＭＥＰ３４へ到達しない。すなわち、図５に示す「通常運用時のＣＣＭ送達区間」においてＣＣＭを送達することはできない。
【００６２】
そこで、自局ネットワーク接続装置２０は、光ポート５０の入力リンク障害発生に伴う電気ポート５２のリンク強制切断）以前に保存したＣＣＭを読み出して所望の加工を施し、光ポート５０から所定のインターバルで継続的に出力する（ステップＳ３）。これにより、対向局ＭＥＰ３４は、継続してＣＣＭを受信することができる。ＣＣＭは、図５に示す「ＣＣＭ代理送達区間」において送達される。「ＣＣＭ代理送達区間」とは、いままでの説明から理解されるように、対向局ＭＥＰ３４と自局ネットワーク接続装置２０との間の区間である。
【００６３】
上記強制リンク切断（ステップＳ２）により、対向局ＭＥＰ３４発のＣＣＭは自局ＭＥＰ２４に到達しない。従って、自局ＭＥＰ２４は、ＣＣＭの途絶、すなわち、継続性の喪失を示すＬＯＣ（Ｌｏｓｓ  Ｏｆ  Ｃｏｎｔｉｎｕｉｔｙ）を検出する。自局ＭＥＰ２４は、イーサネットＯＡＭ管理装置１６に対して、「ＬＯＣ発生」を通知する（ステップＳ４）。
【００６４】
一方、上記ＣＣＭ代理送信（ステップＳ３）により対向ＭＥＰ３４は継続してＣＣＭを受信することになるため、ＬＯＣは発生しない。対向ＭＥＰ３４は、イーサネットＯＡＭ管理装置１６に対して、「ＬＯＣなし」を通知する。
【００６５】
これにより、イーサネットＯＡＭ管理装置１６は、対向局ＭＥＰ３４→自局ＭＥＰ２４方向には障害が発生しているが、自局ＭＥＰ２４→対向局ＭＥＰ３４方向には障害が発生していないことを認識することができる。
【００６６】
イーサネットＯＡＭ管理装置１６の上記認識に基づきトラブルシューティングが行われ、光ポート５０入力のリンク障害が取り除かれた場合、リンクパススルー機能により実施された電気ポート５２の強制リンク切断（ステップＳ２）は解除される。そして、自局ネットワーク接続装置２０は、光ポート５０へのＣＣＭ代理送信を停止するとともに、光ポート５０−電気ポート５２間の通信を復旧させる。これにより、ネットワークシステム１０は、上述の「通常運用時」の動作状態となる。
【００６７】
（３）対向局ネットワーク接続装置３０の光ポートの入力にリンク障害が発生した場合の動作説明
図６は、ネットワークシステム１０の構成例を示すブロック図であるとともに、対向局ネットワーク接続装置３０の光ポートの入力にリンク障害が発生した場合のネットワークシステム１０全体の動作例を説明するための図である。
【００６８】
まず、何らかの理由により、対向局ネットワーク接続装置３０の光ポートの入力にリンク障害が発生した場合とする（ステップＳ１０）。対向局ネットワーク接続装置３０のリンクパススルー機能の発動により、対向局ネットワーク接続装置３０の電気ポートのリンクは強制的に切断される（ステップＳ１１）。このままでは、対向局ＭＥＰ３４から出力されるＣＣＭは、自局ＭＥＰ２４へ到達しない。すなわち、図６に示す「通常運用時のＣＣＭ送達区間」においてＣＣＭを送達することはできない。
【００６９】
そこで、自局ネットワーク接続装置２０は、対向局ネットワーク接続装置３０における光ポートの入力リンク障害発生に伴う電気ポートのリンク強制切断以前に保存したＣＣＭを読み出して所望の加工を施し、電気ポート５２から所定のインターバルで継続的に出力する（ステップＳ１２）。これにより、自局ＭＥＰ２４は、継続してＣＣＭを受信することができる。ＣＣＭは、図６に示す「ＣＣＭ代理送達区間」において送達される。「ＣＣＭ代理送達区間」とは、いままでの説明から理解されるように、自局ＭＥＰ２４と自局ネットワーク接続装置２０との間の区間である。
【００７０】
上記強制リンク切断（ステップＳ１１）により、自局ＭＥＰ２４発のＣＣＭは対向局ＭＥＰ３４に到達しない。従って、対向局ＭＥＰ３４は、ＣＣＭの途絶、すなわち、継続性の喪失を示すＬＯＣ（Ｌｏｓｓ  Ｏｆ  Ｃｏｎｔｉｎｕｉｔｙ）を検出する。対向局ＭＥＰ３４は、イーサネットＯＡＭ管理装置１６に対して、「ＬＯＣ発生」を通知する（ステップＳ１３）。
【００７１】
一方、上記ＣＣＭ代理送信（ステップＳ１２）により自局ＭＥＰ２４は継続してＣＣＭを受信することになるため、ＬＯＣは発生しない。自局ＭＥＰ２４は、イーサネットＯＡＭ管理装置１６に対して、「ＬＯＣなし」を通知する。
【００７２】
これにより、イーサネットＯＡＭ管理装置１６は、自局ＭＥＰ２４→対向局ＭＥＰ３４方向には障害が発生しているが、対向局ＭＥＰ３４→自局ＭＥＰ２４方向には障害が発生していないことを認識することができる。
【００７３】
イーサネットＯＡＭ管理装置１６の上記認識に基づきトラブルシューティングが行われ、光ポート５０入力のリンク障害が取り除かれた場合、リンクパススルー機能により実施された対向局ネットワーク接続装置３０の電気ポートの強制リンク切断（ステップＳ１１）は解除される。そして、自局ネットワーク接続装置２０は、電気ポート５２へのＣＣＭ代理送信を停止するとともに、光ポート５０−電気ポート５２間の通信を復旧させる。これにより、ネットワークシステム１０は、上述の「通常運用時」の動作状態となる。
【００７４】
以上説明したように、第１の実施形態の自局ネットワーク接続装置２０は、自局側あるいは対向局側においてリンクパススルーが実行された場合であっても、リンクパススルーが発生した側のＭＥＰを代理して反対側のＭＥＰに対してＣＣＭの送信を行う。従って、上述したように、イーサネットＯＡＭ管理装置１６は、リンクのどの方向において障害が発生しているかを判別することが可能となる。
【００７５】
すなわち、以上説明した第１の実施形態によれば、リンクパスルー機能とイーサネットＯＡＭとを併用する場合であっても、ネットワークの障害発生箇所を正確に特定することが可能となる。従って、障害復旧の迅速化が図られる。
［第２の実施形態］
図１０は、本発明の第２の実施形態に係るネットワークシステム１００の構成例を示すブロック図である。ネットワークシステム１００は、自局システム１０２と、対向局システム１０４と、イーサネットＯＡＭ管理装置１６と、を備える。図１０に示すネットワークシステム１００と図１に示すネットワークシステム１０との間の構成上の違いは、複数のＭＥＰから送出されるＣＣＭが、自局ネットワーク接続装置１５０上を通過している点にある。具体的には、第１自局ＭＥＰ１５２と第１対向局ＭＥＰ１６０とからなる第１ペアは、通常運用時において、第１ＣＣＭ送達区間においてＣＣＭの送受信を行う。また、第２自局ＭＥＰ１５４と第２対向局ＭＥＰ１６２とからなる第２ペアは、通常運用時において、第２ＣＣＭ送達区間においてＣＣＭの送受信を行う。
【００７６】
さらに、ＣＣＭの代理送信に関してもペア毎に行われる。第１ペアに関し、自局ネットワーク接続装置１５０側でリンクリンクパススルーが実行された場合、自局ネットワーク接続装置１５０は、第１自局ＭＥＰ１５２を代理してＣＣＭを第１対向局ＭＥＰ１６０へ送信する。一方、対向局ネットワーク接続装置３０側でリンクパススルーが実行された場合、自局ネットワーク接続装置１５０は、第１対向局ＭＥＰ１６０を代理してＣＣＭを第１自局ＭＥＰ１５２へ送信する。
【００７７】
第２ペアに関し、自局ネットワーク接続装置１５０側でリンクリンクパススルーが実行された場合、自局ネットワーク接続装置１５０は、第２自局ＭＥＰ１５４を代理してＣＣＭを第２対向局ＭＥＰ１６２へ送信する。一方、対向局ネットワーク接続装置３０側でリンクパススルーが実行された場合、自局ネットワーク接続装置１５０は、第２対向局ＭＥＰ１６２を代理してＣＣＭを第２自局ＭＥＰ１５４へ送信する。
【００７８】
図１０に示す各ＭＥＰ、各ハブ、対向局ネットワーク接続装置３０、およびイーサネットＯＡＭ管理装置１６は、図１に示す各対応要素と同等の機能を有する。従って、それらの説明については省略する。
【００７９】
自局ネットワーク接続装置１５０を構成する電気側ＣＣＭ保存部７２および光側ＣＣＭ保存部８２は、複数種類のＣＣＭを識別可能に保存する。ここで、複数種類のＣＣＭとは、第１ペア用ＣＣＭと第２ペア用ＣＣＭのことを言う。さらに、上記に関連し、自局ネットワーク接続装置１５０は、各ペアのＣＣＭ毎に、所定の設定値（たとえば、図９に示すような設定値）を設定することができる。
【００８０】
以上説明した第２の実施形態の構成により、ＭＥＰペアが複数存在するネットワークシステムにおいてリンクパスルー機能とイーサネットＯＡＭとを併用する場合であっても、ネットワークの障害発生箇所を正確に特定することが可能となる。
【００８１】
なお、以上説明した第２の実施形態ではＭＥＰペアが２つの場合を例に挙げたが、ＭＥＰペアは３つ以上であってもよい。その場合、自局ネットワーク接続装置１５０を、３つ以上のＭＥＰペアの各ＣＣＭを個別に代理送信可能とする構成とすればよい。
【００８２】
また、以上説明した第１および第２の実施形態において、イーサネットＯＡＭの規格として、ＩＥＥＥ８０２．１ａｇを例に挙げて説明したが、イーサネットＯＡＭの規格は、たとえば、ＩＴＵ−Ｔ勧告Ｙ．１７３１、あるいはこれらに準ずる規格であってもよい。
［第３の実施形態］
図１１は、本発明の第３の実施形態に係るネットワーク接続装置２００の構成例を示すブロック図である。ネットワーク接続装置２００は、第１リンクを介して対向局ネットワーク接続装置（不図示）と接続されるとともに第２リンクを介して自局保守端点ノード（不図示）と接続される。ネットワーク接続装置２００は、第１処理部２０２と、第２処理部２０４と、を備える。
【００８３】
第１処理部２０２は、第１リンクの入力障害検出に伴い第２リンクが切断された際、自局保守端点ノードに代わり、第１リンクを介して対向局ネットワーク接続装置に向けて第１接続性確認メッセージを送信する。
【００８４】
第２処理部２０４は、対向局ネットワーク接続装置における第１リンクの入力障害検出に伴い対向局ネットワーク接続装置と対向局保守端点ノード（不図示）との間の第３リンク（不図示）が切断された際、対向局保守端点ノードに代わり、第２リンクを介して自局保守端点ノードに向けて第２接続性確認メッセージを送信する。
【００８５】
以上説明した第３の実施形態によれば、一方のリンクの障害検出に伴い他方のリンクが強制切断された場合であっても、本来障害が発生していない方向については接続性確認メッセージが途絶することなく送信される。従って、ネットワークの障害発生箇所をより正確に特定することが可能となる。
【００８６】
[第４の実施形態]  
図１２は、本発明の第４の実施形態に係るネットワーク接続装置３００の構成例を示すブロック図である。
【００８７】
ネットワーク接続装置３００は、ＣＰＵ（Ｃｅｎｔｒａｌ  Ｐｒｏｃｅｓｓｉｎｇ  Ｕｎｉｔ）３０２と、メモリ３０４と、を備える。メモリ３０４は、ネットワーク制御プログラム４００を記憶する。ＣＰＵ３０２は、ネットワーク制御プログラム４００を実行する。メモリ３０４の例としては、たとえば、ＲＯＭ（Ｒｅａｄ  Ｏｎｌｙ  Ｍｅｍｏｒｙ）、ハードディスク、リムーバブルメディア、あるいはリムーバブルディスク等を挙げることができる。
【００８８】
図１３は、ネットワーク制御プログラム４００の構成を説明する図である。ネットワーク制御プログラム４００は、第１プログラム４０２と、第２プログラム４０４と、を含む。
【００８９】
第１プログラム４０２は、図３のステップＳ１００〜Ｓ１０５に示す処理を実行するための命令群である。第２プログラム４０４は、図４のステップＳ２００〜Ｓ２０４に示す処理を実行するための命令群である。
【００９０】
以上説明した第４の実施形態によれば、一方のリンクの障害検出に伴い他方のリンクが強制切断された場合であっても、本来障害が発生していない方向については接続性確認メッセージが途絶することなく送信される。従って、ネットワークの障害発生箇所をより正確に特定することが可能となる。
【符号の説明】
【００９１】
１０    ネットワークシステム
１２    自局システム
１４    対向局システム
１６    イーサネットＯＡＭ管理装置
２０    自局ネットワーク接続装置
２２    自局ハブ
２４    自局ＭＥＰ
３０    対向局ネットワーク接続装置
３２    対向局ハブ
３４    対向局ＭＥＰ
５０    光ポート
５２    電気ポート
５４    光電／電光変換部
５６    電気側インタフェース部
５８    電気側切替部
６０    光側切替部
６２    リンクパススルー制御部
６４    対向局リンクパススルー検出部
７０    電気側ＣＣＭ制御部
７２    電気側ＣＣＭ保存部
７４    電気側ＣＣＭ送信部
７６    電気側ＣＣＭ送信制御部
８０    光側ＣＣＭ制御部
８２    光側ＣＣＭ保存部
８４    光側ＣＣＭ送信部
８６    光側ＣＣＭ送信制御部
１００    ネットワークシステム
１０２    自局システム
１０４    対向局システム
１５０    自局ネットワーク接続装置
１５２    第１自局ＭＥＰ
１５４    第２自局ＭＥＰ
１６０    第１対向局ＭＥＰ
１６２    第２対向局ＭＥＰ
２００    ネットワーク接続装置
２０２    第１処理部
２０４    第２処理部
３００    ネットワーク接続装置
３０２    ＣＰＵ
３０４    メモリ
４００    ネットワーク制御プログラム
４０２    第１プログラム
４０４    第２プログラム
【図１】
0005647197.tif 000002
【図２】
0005647197.tif 000003
【図３】
0005647197.tif 000004
【図４】
0005647197.tif 000005
【図５】
0005647197.tif 000006
【図６】
0005647197.tif 000007
【図７】
0005647197.tif 000008
【図８】
0005647197.tif 000009
【図９】
0005647197.tif 000010
【図１０】
0005647197.tif 000011
【図１１】
0005647197.tif 000012
【図１２】
0005647197.tif 000013
【図１３】
0005647197.tif 000014
【図１４】
0005647197.tif 000015